(57)【要約】【課題】本発明は、本体の携帯性を損なうことなく、表示内容の視認性や臨場感を向上させることが可能な携帯電話機の提供を第１の目的とし、ハンズフリーマイクやヘッドホンを用いることなく、表示内容を見ながら良好な音声通話を行うことが可能な携帯電話機の提供を第２の目的とする。【解決手段】本発明に係る携帯電話機１は、入力情報を外部表示装置２で読取可能な画像信号形式に変換出力する画像出力部１７を有して成り、通話相手との音声通話を行いながら、外部表示装置２に情報を出力する構成である。【選択図】      図１
2004214766.tif 000002
【特許請求の範囲】
【請求項１】
入力された情報を外部表示装置で読取可能な画像信号形式に変換して出力する画像出力部を有して成り、前記外部表示装置への情報出力を行うことを特徴とする携帯電話機。
【請求項２】
入力された情報を外部表示装置で読取可能な画像信号形式に変換して出力する画像出力部を有して成り、通話相手との音声通話を行いながら、前記外部表示装置への情報出力を行うことを特徴とする携帯電話機。
【請求項３】
前記外部表示装置に出力される情報は、前記携帯電話機の格納情報であることを特徴とする請求項１または請求項２に記載の携帯電話機。
【請求項４】
前記外部表示装置に出力される情報は、前記通話相手から送られてくる画像情報であることを特徴とする請求項２に記載の携帯電話機。
【請求項５】
前記外部表示装置に出力される情報は、サーバから取得されたＷｅｂコンテンツ情報であることを特徴とする請求項１または請求項２に記載の携帯電話機。
【請求項６】
前記外部表示装置に出力される情報は、サーバから取得されたストリーミング情報に含まれる画像情報であることを特徴とする請求項１または請求項２に記載の携帯電話機。
【請求項７】
情報表示手段である表示部を有して成り、前記画像出力部から前記外部表示装置に情報が出力されている間、前記表示部の動作を停止することを特徴とする請求項１〜請求項６のいずれかに記載の携帯電話機。
【発明の詳細な説明】
【０００１】
【発明の属する技術分野】
本発明は、携帯電話機（通信機能搭載のパームトップＰＣやＰＤＡ［PersonalDigital/Data Assistant］などの携帯電子機器を含む）に関するものである。
【０００２】
【従来の技術】
従来より、携帯電話機の多くは、各種情報（静止画や動画、文字など）を表示する手段として、数インチの表示部（液晶ディスプレイなど）を有して成る。
【０００３】
【特許文献１】
特開平８−８８８４１号公報
【特許文献２】
特開平１−１２０１５９号公報
【０００４】
【発明が解決しようとする課題】
確かに、上記構成から成る携帯電話機は、アドレス帳や電子メールの内容、或いは携帯電話機での閲覧を目的として作成されたＷｅｂコンテンツ等を表示部に出力することができるので、ユーザにとって非常に便利である。
【０００５】
しかしながら、上記構成から成る携帯電話機では、本体の携帯性を考慮して表示部の設置面積を大きくとれないため、表示内容の視認性や臨場感が乏しい上、ユーザの視力低下を招くおそれがあった。また、携帯電話機での閲覧が意図されていないＷｅｂコンテンツについては、正常に表示することすらできなかった。
【０００６】
また、上記構成から成る携帯電話機では、本体の携帯性を考慮して送話用マイクや受話用スピーカをそれほど高性能とできないため、該送話用マイクや受話用スピーカから口や耳を離した状態で良好な音声通話を行うことは難しかった。そのため、表示部を見ながら良好な音声通話を行いたい場合（例えば、撮像部を備えた携帯テレビ電話機を用いて通話相手の顔を見ながら音声通話を行う場合）には、ハンズフリーマイクやヘッドホンを用いねばならず、ユーザに装着の煩雑感や違和感を与えることとなっていた（例えば、特許文献１、２を参照）。
【０００７】
本発明は、上記の問題点に鑑み、本体の携帯性を損なうことなく、表示内容の視認性や臨場感を向上させることが可能な携帯電話機の提供を第１の目的とし、ハンズフリーマイクやヘッドホンを用いることなく、表示内容を見ながら良好な音声通話を行うことが可能な携帯電話機の提供を第２の目的とする。
【０００８】
【課題を解決するための手段】
上記目的を達成するために、本発明に係る携帯電話機は、入力された情報を外部表示装置で読取可能な画像信号形式に変換して出力する画像出力部を有して成り、前記外部表示装置への情報出力を行う構成としている。このような構成とすることにより、本体の携帯性を損なうことなく、表示内容の視認性や臨場感を向上させることが可能となる。
【０００９】
また、本発明に係る携帯電話機は、入力された情報を外部表示装置で読取可能な画像信号形式に変換して出力する画像出力部を有して成り、通話相手との音声通話を行いながら、前記外部表示装置への情報出力を行う構成としている。このような構成とすることにより、ハンズフリーマイクやヘッドホンを用いることなく、表示内容を見ながら良好な音声通話を行うことが可能となる。
【００１０】
なお、上記構成から成る携帯電話機において、前記外部表示装置に出力される情報は、前記携帯電話機の格納情報とすればよい。このような構成とすることにより、外部表示装置には携帯電話機の格納情報が表示されることになるので、携帯電話機本体の携帯性を損なうことなく、表示内容の視認性を向上させることが可能となる。また、ユーザは、携帯電話機の格納情報を見ながら良好な音声通話を行うことが可能となる。
【００１１】
また、上記構成から成る携帯電話機において、前記外部表示装置に出力される情報は、前記通話相手から送られてくる画像情報とすればよい。このような構成とすることにより、外部表示装置には、通話相手からの画像情報が表示されることになるので、携帯電話機本体の携帯性を損なうことなく、表示内容の視認性を向上させることが可能となる。また、ユーザは、外部表示装置を通して通話相手の顔を見ながら、携帯電話機本体で良好な音声通話を行うことが可能となる。
【００１２】
また、上記構成から成る携帯電話機において、前記外部表示装置に出力される情報は、サーバから取得されたＷｅｂコンテンツ情報とすればよい。このような構成とすることにより、外部表示装置には、閲覧中のＷｅｂコンテンツ情報が表示されることになるので、携帯電話機本体の携帯性を損なうことなく、表示内容の視認性を向上させることが可能となる上、携帯電話機での閲覧が意図されていないＷｅｂコンテンツについても、正常に表示することが可能となる。また、ユーザは、外部表示装置を通してＷｅｂコンテンツ情報を閲覧しながら、携帯電話機本体で良好な音声通話を行うことが可能となる。
【００１３】
また、上記構成から成る携帯電話機において、前記外部表示装置に出力される情報は、サーバから取得されたストリーミング情報に含まれる画像情報とすればよい。このような構成とすることにより、外部表示装置には、再生中のストリーミング画像が表示されることになるので、携帯電話機本体の携帯性を損なうことなく、表示内容の視認性及び臨場感を向上させることが可能となる。また、ユーザは、外部表示装置を通して再生中のストリーミング画像を見ながら、携帯電話機本体で良好な音声通話を行うことが可能となる。
【００１４】
なお、上記構成から成る携帯電話機は、情報表示手段である表示部を有して成り、前記画像出力部から前記外部表示装置に情報が出力されている間、前記表示部の動作を停止する構成にするとよい。このような構成とすることにより、携帯電話機の消費電力低減を図ることが可能となる。
【００１５】
【発明の実施の形態】
図１は本発明に係る携帯電話機の要部構成を示すブロック図である。本図に示すように、本発明に係る携帯電話機１は、制御部１０と、送受信部１１と、表示部１２と、音声部１３と、操作部１４と、撮像部１５と、記憶部１６と、画像出力部１７と、を有して成る。
【００１６】
制御部１０は、ＣＰＵ［Central Processing Unit］等から成り、上記各部１１〜１７を含む装置全体の動作を制御する。送受信部１１は、送信回路と受信回路を有して成り、アンテナ１１ａを介して電波を送受信することで、基地局（不図示）との双方向通信を行う。なお、アンテナ１１ａとしては、携帯性や格納性に優れたロッドアンテナを用いるとよい。表示部１２は、液晶ディスプレイ等から成る情報表示手段である。音声部１３は、マイク１３ａやスピーカ１３ｂを制御する音声入出力手段である。操作部１４は、ダイヤルキーやブラウザ操作キー等を備えた入力デバイスである。撮像部１５は、ＣＣＤカメラやＣＭＯＳカメラから成る画像撮影手段である。記憶部１６は、ＲＯＭやＲＡＭから成る情報格納手段である。本発明の特徴部分である画像出力部１７は、入力された情報（静止画や動画、文字など）を外部表示装置２で読取可能な画像信号形式（例えば、ビデオ信号形式）に変換して出力するインターフェイス部である。
【００１７】
次に、上記構成から成る携帯電話機１の特徴動作（外部表示装置２への画像出力動作）について、具体例を挙げながら詳細に説明する。
【００１８】
第１の具体例は、記憶部１６の格納情報（アドレス帳や電子メールの内容等）を外部表示装置２に出力する場合である。この場合、制御部１０は、記憶部１６から所望の情報を読み出して画像出力部１７に送出し、該情報を外部出力するように要求する。該要求を受けた画像出力部１７は、制御部１０からの入力情報に所定の信号処理を施して外部表示装置２に出力する。このような動作により、外部表示装置２には、携帯電話機１の記憶部１６から読み出された情報が表示されることになる。従って、外部表示装置２として表示部１２より大型のモニタ装置を用いれば、携帯電話機１本体の携帯性を損なうことなく、表示内容の視認性を向上させることが可能となる。
【００１９】
第２の具体例は、外部表示装置２を用いてテレビ電話を行う場合（すなわち、通話相手から送られてくる画像情報を外部表示装置２に出力しながら該通話相手と音声通話を行う場合）である。この場合、制御部１０は、送受信部１１を介して通話相手との双方向通信を行い、互いに音声情報及び画像情報の交換を行う。このとき、制御部１０は、通話相手から送られてくる音声情報及び画像情報を各々音声部１３及び画像出力部１７に送出し、画像出力部１７に対して該画像情報を外部出力するように要求する。該要求を受けた画像出力部１７は、制御部１０からの入力情報に所定の信号処理を施して外部表示装置２に出力する。このような動作により、外部表示装置２には、通話相手から送られてくる画像情報が表示されることになる。従って、ユーザは、外部表示装置２を通して通話相手の顔を見ながら、ハンズフリーマイクやヘッドホンを用いることなく、携帯電話機１本体で良好な音声通話を行うことが可能となる。なお、通話相手から送られてくる画像情報については、制御部１０の指示を待つことなく、送受信部１１から画像出力部１７を介して外部表示装置２に送出する構成としてもよい。このような構成とすることにより、画像出力と音声出力との間にタイムラグが生じるのを防止することが可能となる。
【００２０】
第３の具体例は、閲覧中のＷｅｂコンテンツ情報を外部表示装置２に出力する場合である。この場合、制御部１０は、送受信部１１を介して指定サーバから所望のＷｅｂコンテンツ情報を取得して画像出力部１７に送出し、該情報を外部出力するように要求する。該要求を受けた画像出力部１７は、制御部１０からの入力情報に所定の信号処理を施して外部表示装置２に出力する。このような動作により、外部表示装置２には、閲覧中のＷｅｂコンテンツ情報が表示されることになる。従って、外部表示装置２として表示部１２より大型のモニタ装置を用いれば、携帯電話機１本体の携帯性を損なうことなく、表示内容の視認性を向上させることが可能となる。また、携帯電話機での閲覧が意図されていないＷｅｂコンテンツについても、表示部１２のサイズや解像度に依存することなく正常に表示することが可能となる。
【００２１】
第４の具体例は、閲覧中のＷｅｂコンテンツ情報を外部表示装置２に出力しながら音声通話を行う場合である。この場合、制御部１０は、送受信部１１を介して通話相手との音声情報交換を行う一方、指定サーバから所望のＷｅｂコンテンツ情報を取得する。このとき、制御部１０は、得られた音声情報及びＷｅｂコンテンツ情報を各々音声部１３及び画像出力部１７に送出し、画像出力部１７に対して該Ｗｅｂコンテンツ情報を外部出力するように要求する。該要求を受けた画像出力部１７は、制御部１０からの入力情報に所定の信号処理を施して外部表示装置２に出力する。このような動作により、外部表示装置２には、閲覧中のＷｅｂコンテンツ情報が表示されることになる。従って、ユーザは、外部表示装置２を通してＷｅｂコンテンツ情報を閲覧しながら、携帯電話機１本体で良好な音声通話を行うことが可能となる。
【００２２】
第５の具体例は、再生中のストリーミング画像を外部表示装置２に出力する場合である。この場合、制御部１０は、送受信部１１を介して指定サーバから所望のストリーミング情報を取得しながら、該ストリーミング情報に含まれる音声情報及び画像情報を各々音声部１３及び画像出力部１７に送出し、画像出力部１７に対して該画像情報を外部出力するように要求する。該要求を受けた画像出力部１７は、制御部１０からの入力情報に所定の信号処理を施して外部表示装置２に出力する。このような動作により、外部表示装置２には、再生中のストリーミング画像が表示されることになる。従って、外部表示装置２として表示部１２より大型のモニタ装置を用いれば、携帯電話機１本体の携帯性を損なうことなく、表示内容の視認性や臨場感を向上させることが可能となる。なお、ストリーミング音声の出力手段としては、携帯電話機１に内蔵されたスピーカ１３ｂを用いてもよいし、ヘッドホン等を外部接続して用いてもよい。
【００２３】
第６の具体例は、再生中のストリーミング情報を外部表示装置２に出力しながら音声通話を行う場合である。この場合、制御部１０は、送受信部１１を介して通話相手との音声情報交換を行う一方、指定サーバから所望のストリーミング情報の取得を開始する。このとき、制御部１０は、通話相手からの音声情報及びストリーミング情報に含まれる音声情報を音声部１３に送出する一方、該ストリーミング情報に含まれる画像情報を画像出力部１７に送出し、画像出力部１７に対して該画像情報を外部出力するように要求する。該要求を受けた画像出力部１７は、制御部１０からの入力情報に所定の信号処理を施して外部表示装置２に出力する。このような動作により、外部表示装置２には再生中のストリーミング画像が表示されることになる。従って、ユーザは、外部表示装置２を通して再生中のストリーミング画像を見ながら、携帯電話機１本体で良好な音声通話を行うことが可能となる。なお、ストリーミング音声については、通話相手からの音声情報とともに携帯電話機１に内蔵されたスピーカ１３ｂから出力してもよいし、別途接続された外部スピーカ（不図示）から出力してもよい。
【００２４】
なお、上記に示した６つの具体例は、あくまで本発明に係る携帯電話機１の一動作場面を示したものに過ぎず、その他の場面にも本発明を適用することができるのは言うまでもない。
【００２５】
また、本発明に係る携帯電話機１は、画像出力部１７から外部表示装置２に情報が出力されている間、使用されない表示部１２の動作を停止する構成としている。このような構成とすることにより、携帯電話機１の消費電力低減を図ることが可能となる。
【００２６】
【発明の効果】
上記したように、本発明に係る携帯電話機であれば、本体の携帯性を損なうことなく、表示内容の視認性や臨場感を向上させることが可能となる。また、本発明に係る携帯電話機であれば、ハンズフリーマイクやヘッドホンを用いることなく、表示内容を見ながら良好な音声通話を行うことが可能となる。
【図面の簡単な説明】
【図１】本発明に係る携帯電話機の要部構成を示すブロック図である。
【符号の説明】
１    携帯電話機
１０    制御部
１１    送受信部
１１ａ    アンテナ
１２    表示部
１３    音声部
１３ａ    マイク
１３ｂ    スピーカ
１４    操作部
１５    撮像部
１６    記憶部
１７    画像出力部
２    外部表示装置
【図１】
2004214766.tif 000003